(57)【要約】      （修正有）【課題】Ｆナンバー２．８程度で防振機能を備えたコンパクトな標準ズームレンズを達成する。【解決手段】物体側より順に、正の屈折力の第1レンズ群Ｌ１、負の屈折力の第2レンズ群Ｌ２、及び全体として正の屈折力を有する後群を有し、各レンズ群の間隔を変えて、ズーミングを行うズームレンズにおいて、D1w＜D1t、D2ｗ＞D2t、２＜ｆ１／ｆT＜４、３．５＜ｆ１／SKｗ＜８、０．３２＜（M2−M1）／（SKｗ×ｆｔ／ｆｗ）＜０．５、なる条件を満足する。但し、Dｉw、Dｉｔは広角端及び望遠端での第ｉレンズ群と第ｉ＋１レンズ群との空気間隔、ｆW、ｆTは各々広角端及び望遠端における全系の焦点距離、ｆ１は前記第１レンズ群の焦点距離、ＳＫｗは広角端のバックフォーカス、Ｍ１、Ｍ２は広角端から望遠端への変倍の際の第ｉレンズ群の移動量である。【選択図】図１
2012123156.tif 000002
【特許請求の範囲】
【請求項１】
物体側より像側へ順に、正の屈折力の第1レンズ群、負の屈折力の第2レンズ群、及び全体として正の屈折力を有する後群を有し、各レンズ群の間隔を変えて、ズーミングを行うズームレンズにおいて、
D1w  ＜  D1t
D2ｗ  ＞  D2t
２  ＜  ｆ１／ｆT  ＜  ４
３．５  ＜  ｆ１／SKｗ  ＜  ８
０．３２  ＜（M2−M1）／（SKｗ×ｆｔ／ｆｗ）  ＜０．５
なる条件を満足することを特徴とするズームレンズ。
但し、Dｉw、Dｉｔは広角端及び望遠端での第ｉレンズ群と第ｉ＋１レンズ群との空気間隔、ｆW、ｆTは各々広角端及び望遠端における全系の焦点距離、ｆ１は前記第１レンズ群の焦点距離、ＳＫｗは広角端のバックフォーカス、Ｍ１、Ｍ２は広角端から望遠端への変倍の際の第ｉレンズ群の移動量である。
【請求項２】
下記の条件式を満足することを特徴とした請求項１に記載のズームレンズ。
３．２  ＜  ｆ１／√（ｆW×ｆｔ）  ＜  ６
０．２９  ＜  ｜ｆ２｜／ｆT    ＜  ０．３８
ここで、ｆ２は前記第２レンズ群の焦点距離である。
【請求項３】
前記第２レンズ群を物体側へ移動させて無限から至近へのフォーカシングを行ったことを特徴とした請求項１に記載のズームレンズ。
【請求項４】
前記後群を正の屈折力の第３レンズ群、負の屈折力の第４レンズ群、正の屈折力の第５レンズ群で構成し、広角端から望遠端への変倍時、下記の条件式を満足するように各レンズ群を移動させたことを特徴とした請求項１に記載のズームレンズ。
Ｄ３ｗ  ＜  Ｄ３ｔ
Ｄ４ｗ  ＞  Ｄ４ｔ
【請求項５】
前記第４レンズ群を負の４ａレンズ群と負の４ｂレンズ群より構成し、前記４ａレンズ群を光軸と垂直方向に移動して防振したことを特徴とした請求項４に記載のズームレンズ。
【請求項６】
前記後群を正の屈折力の第３レンズ群、正の屈折力の第４レンズ群で構成し、広角端から望遠端への変倍時、下記の条件式を満足するように各レンズ群を移動させたことを特徴とした請求項１に記載のズームレンズ。
Ｄ３ｗ  ＞  Ｄ３ｔ
【請求項７】
前記第３レンズ群を正の３ａレンズ群と負の３ｂレンズ群より構成し、前記３ｂレンズ群を光軸と垂直方向に移動して防振したことを特徴とした請求項６に記載のズームレンズ。
【発明の詳細な説明】
【技術分野】
【０００１】
本発明はズームレンズ及びそれを有する撮像装置に関し、例えばデジタルカメラ、ビデオカメラ、銀塩フィルム用カメラ等の撮像装置に好適なものである。
【背景技術】
【０００２】
近年、CCDやCMOS等の撮像素子を用いたデジタルカメラ等の撮像装置が普及しコンパクトタイプからデジタル一眼レフカメラまでラインナップが揃えられている。特に一眼レフカメラは、撮像素子の大きさが１３５サイズ、ＡＰＳ−Ｃサイズ、4/3インチ等種々の大きさのものがある。またそれに装着される撮影レンズも広角から超望遠に至るシングルレンズ、ズームレンズと多岐にわたったレンズが発売されている。ところで、一眼レフカメラの魅力のひとつとして背景のボケがあり、そのような写真を撮影するにはＦナンバーの小さい（明るい）レンズが必要となる。また、同じボケ具合の写真を得るには、撮像素子のサイズが小さいほどＦナンバーの小さい撮影レンズが必要となる。従って、１３５サイズの撮像素子用の撮影レンズは、ＡＰＳ−Ｃサイズ等小型の撮像素子用の撮影レンズに比べ、同じＦナンバーであればより大きなボケを得られるが、レンズ系が大型化する傾向がある。
【０００３】
Ｆナンバーの小さなズームレンズとして、物体側より順に正、負、正、負、正の屈折力よりなる５群構成で、Ｆナンバー２．８のズームレンズが知られている（特許文献１）。
また、物体側より順に正、負、正、負、正の屈折力よりなる５群構成で、Ｆナンバー３．５〜４．５のズームレンズが知られている（特許文献２）。
【０００４】
さらに、物体側より順に正、負、正、負、正の屈折力よりなる５群構成で、Ｆナンバー４のズームレンズが知られている（特許文献３）。
【先行技術文献】
【特許文献】
【０００５】
【特許文献１】特開２００７−１０８３９８号公報
【特許文献２】特開平０９−３０４６９７号公報
【特許文献３】特開２００６−２２７５２６号公報
【発明の概要】
【発明が解決しようとする課題】
【０００６】
上述の特許文献１に開示された従来例は、ＡＰＳ−Ｃサイズの撮像素子用でＦナンバー２．８程度の明るさの標準ズームレンズである。
【０００７】
上述の特許文献２に開示された従来例は、１３５サイズの撮像素子用で広角端のＦナンバー３．５、望遠端のＦナンバー４．５程度の明るさの標準ズームレンズである。
【０００８】
上述の特許文献３に開示された従来例は、１３５サイズの撮像素子用でＦナンバー４程度の明るさの標準ズームレンズである。
【０００９】
本発明の目的は、イメージサークルが１３５サイズの撮像素子に対応すること。且つＦナンバー２．８程度で防振機能を備えたコンパクトな標準ズームレンズを達成することである。
【課題を解決するための手段】
【００１０】
上記目的を達成するために、本発明のズームレンズは、物体側より像側へ順に、正の屈折力の第1レンズ群、負の屈折力の第2レンズ群、及び全体として正の屈折力を有する後群を有し、各レンズ群の間隔を変えて、ズーミングを行うズームレンズにおいて、
D1w  ＜  D1t
D2ｗ  ＞  D2t
２  ＜  ｆ１／ｆT  ＜  ４
３．５  ＜  ｆ１／SKｗ  ＜  ８
０．３２  ＜（M2−M1）／（SKｗ×ｆｔ／ｆｗ）  ＜０．５
なる条件を満足することを特徴としている。
【００１１】
但し、Dｉw、Dｉｔは広角端及び望遠端での第ｉレンズ群と第ｉ＋１レンズ群との空気間隔。ｆW、ｆTは各々広角端及び望遠端における全系の焦点距離、ｆ１は前記第１レンズ群の焦点距離。ＳＫｗは広角端のバックフォーカス、Ｍ１、Ｍ２は広角端から望遠端への変倍の際の第ｉレンズ群の移動量である。
【発明の効果】
【００１２】
本発明によれば、諸収差を全ズーム域にわたって良好に補正された高い光学性能を有するＦナンバー２．８程度の標準域を含み防振機能を備えたズームレンズ及びそれを有する撮像装置が得られる。
【図面の簡単な説明】
【００１３】
【図１】実施例１のズームレンズのレンズ断面図
【図２】実施例１のズームレンズの広角端における諸収差図
【図３】実施例１のズームレンズの望遠端における諸収差図
【図４】実施例２のズームレンズのレンズ断面図
【図５】実施例２のズームレンズの広角端における諸収差図
【図６】実施例２のズームレンズの望遠端における諸収差図
【図７】実施例３のズームレンズのレンズ断面図
【図８】実施例３のズームレンズの広角端における諸収差図
【図９】実施例３のズームレンズの望遠端における諸収差図
【発明を実施するための形態】
【００１４】
以下に、本発明の好ましい実施の形態を、添付の図面に基づいて詳細に説明する。
【００１５】
図１は本発明の実施例１のズームレンズの広角端（短焦点距離端）におけるレンズ断面図、図２、図３はそれぞれ実施例１のズームレンズの広角端、望遠端（長焦点距離端）における収差図である。
【００１６】
図４は本発明の実施例２のズームレンズの広角端におけるレンズ断面図、図５、図６はそれぞれ実施例２のズームレンズの広角端、望遠端における収差図である。
【００１７】
図７は本発明の実施例３のズームレンズの広角端におけるレンズ断面図、図８、図９はそれぞれ実施例３のズームレンズの広角端、望遠端における収差図である。
【００１８】
本発明のズームレンズは、デジタルカメラ、ビデオカメラ、銀塩フィルム用カメラ等の撮像装置に用いられるものである。
【００１９】
図１、４，７に示したレンズ断面図において、左方が前方（物体側、拡大側）で、右方が後方（像側、縮小側）である。
【００２０】
ｉは物体側から数えたときの順序を示し、Ｌｉは第ｉレンズ群である。
【００２１】
第１実施例及び第２実施例のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５より成っている。そして第ｉレンズ群Ｌｉと第ｉ＋１レンズ群Ｌｉ＋１との間隔を変えてズーミングを行っている。
【００２２】
ＳＰは開口絞りであり、各実施例では、第３レンズ群Ｌ３中に配置されている。
【００２３】
ＳＳＰはフレアーカット絞りであり、各実施例では第３レンズ群Ｌ３の物体側に配置している。
【００２４】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に相当する感光面が置かれる。
【００２５】
収差図において、ｄ、ｇは各々ｄ線、ｇ線である。Ｓ・Ｃは正弦条件である。ΔｄＭ、ΔｄＳはｄ線のメリディオナル像面、サジタル像面、ΔｇＭ，ΔｇＳはｇ線のメリディオナル像面、サジタル像面である。ｆｎｏはＦナンバー、ωは半画角である。
【００２６】
各実施例では、広角端から望遠端へのズーミングに際して矢印のように、各レンズ群を移動させている。
【００２７】
具体的には、第１実施例及び第２実施例では広角端から望遠端へのズーミングに際し、第１レンズ群Ｌ１は物体側へ、第２レンズ群Ｌ２は像側へ、第３レンズ群Ｌ３、第４レンズ群Ｌ４、第５レンズ群Ｌ５は物体側へ移動している。それにより各々のレンズ群に挟まれた空気間隔を変化させている。第３実施例では広角端から望遠端へのズーミングに際し、第１レンズ群Ｌ１は物体側へ、第２レンズ群Ｌ２は像側へ、第３レンズ群Ｌ３、第４レンズ群Ｌ４は各々のレンズ群に挟まれた空気間隔を変化させつつ物体側へ移動している。
【００２８】
各実施例において広角端と望遠端は変倍用レンズ群が機構上、光軸上移動可能な範囲の両端に位置したときのズーム位置をいう。
【００２９】
次に、各実施例の特徴について説明する。
【００３０】
第１実施例及び第２実施例は、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５より成っている。
【００３１】
ｉを物体側から像側へ数えたときの順序を示し、広角端及び望遠端における第ｉレンズ群と第ｉ＋１レンズ群の空気間隔をＤｉｗ，Ｄｉｔとするとき、
Ｄ１ｗ＜Ｄ１ｔ
Ｄ２ｗ＞Ｄ２t
Ｄ３ｗ＜Ｄ３t
Ｄ４ｗ＞Ｄ４t
なる条件を満足している。
【００３２】
第３実施例は、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４より成っている。また、
Ｄ１ｗ＜Ｄ１ｔ
Ｄ２ｗ＞Ｄ２t
Ｄ３ｗ＞Ｄ３t
なる条件を満足している。
【００３３】
このように、ズーミングに際して各レンズ群に変倍を分担することで、少ない移動量で所定のズーム比を達成することが可能となり、Ｆナンバー２．８程度の大口径でありながらレンズ系全体をコンパクトにしている。
【００３４】
また、本実施例では、ｆW、ｆTを各々広角端及び望遠端における全系の焦点距離、ｆ１は前記第１レンズ群の焦点距離。ＳＫｗを広角端のバックフォーカス。Ｍ１、Ｍ２は広角端から望遠端への変倍の際の第ｉレンズ群の移動量としたとき、
２  ＜  ｆ１／ｆT  ＜  ４      ・・・（１）
３．５  ＜  ｆ１／SKｗ  ＜  ８    ・・・（２）
０．３２  ＜（M2−M1）／（SKｗ×ｆｔ／ｆｗ）  ＜０．５  ・・・（３）
なる条件を満足している。
【００３５】
条件式（１）は望遠端の焦点距離と第１レンズ群の焦点距離の比を規定するものである。条件式（１）の下限値を超えて第１レンズ群の正の屈折力が強くなると概レンズ群で発生する諸収差が大きくなりそれを他のレンズ群でバランス良く補正することが困難となる。条件式（１）の上限値を超えて第１レンズ群の正の屈折力が弱くなると収差補正には有利であるが、レンズ系が大型化してくる。
【００３６】
条件式（２）は広角端のバックフォーカスと第１レンズ群の焦点距離の比を規定するものである。条件式（２）の下限値を超えて第１レンズ群の正の屈折力が強くなると概レンズ群で発生する諸収差が大きくなりそれを他のレンズ群でバランス良く補正することが困難となる。条件式（２）の上限値を超えて第１レンズ群の正の屈折力が弱くなると収差補正には有利であるが、レンズ系が大型化してくる。
【００３７】
条件式（３）は広角端から望遠端へ変倍する際の第１レンズ群と第２レンズ群との間隔変化量と広角端のバックフォーカスと変倍比の積との比を規定するものである。条件式（３）の下限値を超えて広角端から望遠端へ変倍する際の第１レンズ群と第２レンズ群との間隔変化量が小さくなると所定の変倍比を得るために第１レンズ群及び第２レンズ群の屈折力を強くする必要が生じる。そして各群で発生する諸収差をバランス良く補正することが困難となる。条件式（３）の上限値を超えて広角端から望遠端へ変倍する際の第１レンズ群と第２レンズ群との間隔変化量が大きくなると望遠側での軸外光束を確保するために第１レンズ群のレンズ径が大きくなってくる。
【００３８】
本実施例は、撮像素子対角長の焦点距離、所謂標準域の焦点距離を含み、変倍比３倍程度のズームレンズである。このような焦点距離範囲をカバーしＦナンバー２．８程度のズームレンズを達成するには、ｆ２を前記第２レンズ群の焦点距離としたとき、下記の条件式を満足するのが良い。
【００３９】
３．２  ＜  ｆ１／√（ｆW×ｆｔ）  ＜  ６  ・・・（４）
０．２９  ＜  ｜ｆ２｜／ｆT    ＜  ０．３８  ・・・（５）
条件式（４）は広角端の焦点距離と望遠端の焦点距離の積の平方根に対する第１レンズ群の焦点距離の大きさを規定するものである。条件式（４）の下限値を超えて第１レンズ群の正の屈折力が強くなると所定の変倍比を得るための第１レンズ群の移動量が少なくなりコンパクト化に有利である。しかし概レンズ群で発生する諸収差が大きくなりそれを他のレンズ群でバランス良く補正することが困難となる。条件式（４）の上限値を超えて第１レンズ群の正の屈折力が弱くなると収差補正には有利である。しかし、所定の変倍比を得るための第１レンズ群に移動量が大きくなりレンズ系が大型化してくる。
【００４０】
条件式（５）は望遠端の焦点距離に対する第２レンズ群の焦点距離の絶対値の大きさを規定するものである。条件式（５）の下限値を超えて第２レンズ群の負の屈折力が強くなると概レンズ群で発生する諸収差が大きくなりそれを他のレンズ群でバランス良く補正することが困難となる。条件式（５）の上限値を超えて第２レンズ群の負の屈折力が弱くなるとレンズ系が大型化してくる。
【００４１】
また、各実施例では、無限遠物体から近距離物体へのフォーカシングを前記第２レンズ群Ｌ２を物体側へ移動させて行っている。第２レンズ群でフォーカスする場合、同一物体距離に対する第２レンズ群の移動量は広角側で小さく望遠側で大きくなる。従って、望遠側でのフォーカシングのための第２レンズ群の移動スペースは、変倍で広がった第１レンズ群と第２レンズ群の空気間隔を利用できるためレンズ系が小型化可能となる。
【００４２】
第１実施例及び第２実施例では、第４レンズ群Ｌ４を負の屈折力のＬ４ａと負の屈折力のＬ４ｂに分割し、前記Ｌ４ａを光軸と略垂直方向に移動させて防振を行っている。
【００４３】
第３実施例では、第３レンズ群Ｌ３を正の屈折力のＬ３ａと負の屈折力のＬ３b、Ｌ３ｃに分割しＬ３ｂを光軸と垂直方向に移動させて防振を行っている。
【００４４】
防振群を前記部分系で行うことで良好な光学性能とコンパクト化を両立させている。
【００４５】
以上、本発明の好ましい実施形態について説明したが、本発明はこれらの実施形態に限定されず、その要旨の範囲内で種々の変形及び変更が可能である。
【００４６】
以下に本発明の数値実施例１〜３を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｉとνｉは第ｉ番目の光学部材のｄ線に対する屈折率とアッベ数である。ｆ、ｆｎｏ、２ωはそれぞれ無限遠物体に焦点を合わせたときの全系の焦点距離、Ｆナンバー、画角を表している。
【００４７】
非球面形状は光軸方向にＸ軸、光軸と垂直方向にＨ軸、光の進行方向を正、Ｒを近軸曲率半径、ｋを離心率、ｂ、ｃ、ｄ、ｅを各々非球面係数としたとき、
Ｘ＝（１／Ｒ）Ｈ２／(１＋（１−（１＋ｋ）（Ｈ／Ｒ）２）１／２)
＋ｂＨ４＋ＣＨ６＋ｄＨ８＋ｅＨ１０
なる式で表している。
【００４８】
また、例えば、「Ｅ−Ｚ」の表示は「１０−Ｚ」を意味する。
【００４９】
そして、前述の各条件式と数値実施例における諸数値との関係を表１に示す。
【００５０】
数値実施例１ 
単位mm
面データ
面番号       r        d      nd         vd       有効径
1        342.435    3.04   1.84666    23.9       74.47
2         98.856    8.02   1.60311    60.6       71.21
3       10100.948    0.24                         70.66
4         71.267    6.18   1.71300    53.9       65.63
5        165.220  (可変)                         64.56
6*       109.808    0.08   1.51640    52.2       37.21
7         79.036    1.92   1.80400    46.6       37.12
8         19.203    8.81                         28.65
9        -60.307    1.60   1.83481    42.7       28.01
10         56.745    0.24                         27.05
11         43.074    6.07   1.83400    37.2       27.09
12        -53.864    1.15                         26.49
13        -34.011    1.44   1.80400    46.6       26.32
14         65.303    4.01   1.80518    25.4       25.97
15       -150.633  (可変)                         26.95
16          ∞       0.00                         28.83
17        144.837    5.60   1.58913    61.1       29.36
18        -57.572    1.60                         30.36
19(絞り)    ∞       4.70                         31.23
20*        47.347   11.52   1.58313    59.4       32.99
21        -26.915    4.00   1.84666    23.9       32.76
22        -42.913  (可変)                         33.70
23        -89.054    3.01   1.84666    23.9       24.56
24        -30.918    1.28   1.69680    55.5       24.41
25         79.485  (可変)                         24.54
26        -43.251    1.92   1.84666    23.9       25.75
27       -179.990    3.23   1.58913    61.1       27.53
28        -49.509  (可変)                         28.51
29*     -1739.327    7.13   1.49700    81.5       33.21
30        -37.348    0.24                         34.43
31         84.517   13.04   1.49700    81.5       35.04
32        -24.715    2.72   1.74950    35.3       34.73
33       -134.345  (可変)                         36.55
像面        ∞   
非球面データ
第6面
K = 0  b= 6.63731e-006  c=-5.38777e-009  d= 3.58456e-012  e= 4.96207e-015  
第20面
K = 0  b=-3.47298e-006  c=-2.59279e-009  d= 7.80016e-012  e=-1.40562e-014  
第29面
K = 0  b=-1.51167e-006  c= 2.50714e-009  d= 1.19668e-012  e= 2.22064e-015  
各種データ
ズーム比      2.46 
広角     中間     望遠
焦点距離      28.00    46.29    68.99  
Fナンバー      2.88     2.88     2.88  
画角          37.69    25.05    17.41  
像高          21.64    21.64    21.64  
レンズ全長   192.25   205.17   222.38  
BF            39.98    45.79    53.68  
d 5            4.26    24.40    40.58  
d15           21.89     8.85     2.00  
d22            1.98    10.47    16.84  
d25            5.60     5.60     5.60  
d28           15.74     7.25     0.88  
d33           39.98    45.79    53.68  
入射瞳位置    37.75    67.83    99.29  
射出瞳位置  -139.27  -107.14   -87.00  
前側主点位置  61.38   100.11   134.44  
後側主点位置  11.98    -0.50   -15.31  
ズームレンズ群データ
群  始面    焦点距離  レンズ構成長  前側主点位置  後側主点位置
1    1     173.03        17.48         3.51         -6.91
2    6     -20.79        25.32         3.57        -14.31
3   16      31.74        27.42        11.22        -10.36
4   23     -73.98         4.29         0.96         -1.40
5   26    -180.67         5.15        -6.87        -10.34
6   29      66.87        23.13         2.80        -12.21
【００５１】
数値実施例２ 
単位mm
面データ
面番号       r        d      nd         vd       有効径
1        718.198    3.04   1.84666    23.9       77.29
2        147.556    5.96   1.60311    60.6       74.75
3       3473.555    0.24                         74.28
4         80.767    6.28   1.71300    53.9       69.82
5        199.737  (可変)                         68.86
6*       286.606    0.08   1.51640    52.2       40.18
7        118.202    1.92   1.80400    46.6       40.13
8         20.459    9.79                         30.52
9        -50.342    1.60   1.83481    42.7       29.95
10         71.076    0.24                         29.35
11         53.962    5.83   1.83400    37.2       29.47
12        -67.211    0.76                         29.09
13        -47.098    1.44   1.80400    46.6       29.04
14        351.405    3.29   1.80518    25.4       28.70
15        -94.873  (可変)                         28.54
16          ∞       0.00                         30.23
17        129.549    5.60   1.58913    61.1       30.88
18        -65.983    1.60                         31.77
19(絞り)    ∞       1.55                         32.58
20*        40.600   10.62   1.58313    59.4       33.66
21        -30.354    4.00   1.84666    23.9       33.39
22        -46.475  (可変)                         33.92
23       -162.154    2.77   1.84666    23.9       24.34
24        -37.137    1.28   1.69680    55.5       24.08
25         51.681  (可変)                         22.74
26        -69.192    1.92   1.84666    23.9       23.21
27       -245.554    0.73   1.58913    61.1       24.21
28        363.466  (可変)                         24.75
29*        66.036    0.13   1.51640    52.2       30.99
30         61.188    2.11   1.83400    37.2       31.01
31         31.095    9.46   1.49700    81.5       31.43
32        -45.480    0.24                         32.35
33        161.443   13.04   1.49700    81.5       33.36
34        -19.659    2.72   1.74950    35.3       33.62
35        -42.541  (可変)                         37.41
像面        ∞   
非球面データ
第6面
K = 0  b= 9.92235e-006  c=-1.51939e-008  d= 2.34817e-011  e=-1.69651e-014  
第20面
K = 0  b=-4.82791e-006  c=-3.25740e-009  d= 7.40814e-012  e=-1.42020e-014  
第29面
K = 0  b= 1.05238e-006  c= 1.30965e-008  d=-1.77528e-011  e= 5.55510e-014  
各種データ
ズーム比      2.86 
広角     中間     望遠
焦点距離      24.00    50.12    68.70  
Fナンバー      2.88     2.88     2.88  
画角          42.03    23.35    17.48  
像高          21.64    21.64    21.64  
レンズ全長   191.93   206.04   224.86  
BF            39.85    49.53    55.68  
d 5            4.23    31.16    48.74  
d15           28.74     6.25     1.34  
d22            1.50    11.51    15.05  
d25            4.98     4.98     4.98  
d28           14.36     4.34     0.80  
d35           39.85    49.53    55.68  
入射瞳位置    35.53    72.12   104.58  
射出瞳位置  -212.83  -114.97   -94.28  
前側主点位置  57.25   106.97   141.81  
後側主点位置  15.85    -0.60   -13.02  
ズームレンズ群データ
群  始面    焦点距離  レンズ構成長  前側主点位置  後側主点位置
1    1     211.73        15.52         2.83         -6.37
2    6     -22.46        24.96         2.15        -16.81
3   16      30.01        23.38         8.50         -8.47
4   23     -67.78         4.05         1.65         -0.59
5   26     -77.98         2.65         0.10         -1.39
6   29      50.72        27.70        10.16         -9.14
【００５２】
数値実施例３ 
単位mm
面データ
面番号       r        d      nd         vd       有効径
1        678.066    3.04   1.84666    23.9       75.84
2        130.312    7.48   1.60311    60.6       73.13
3       -771.819    0.24                         72.65
4         78.528    7.15   1.71300    53.9       67.18
5        307.748  (可変)                         66.13
6*       801.876    0.08   1.51640    52.2       37.45
7        173.083    1.92   1.80400    46.6       37.39
8         20.278    8.47                         28.59
9        -52.840    1.60   1.83481    42.7       28.01
10        140.396    0.24                         27.37
11         57.615    5.43   1.83400    37.2       27.23
12        -56.542    1.49                         26.60
13        -30.559    1.44   1.80400    46.6       26.55
14         70.717    4.83   1.80518    25.4       26.31
15        -70.007  (可変)                         26.45
16          ∞       0.00                         27.94
17         83.127    5.60   1.58913    61.1       28.68
18        -66.789    1.60                         29.28
19(絞り)    ∞       1.52                         29.55
20*        36.708   10.49   1.58313    59.4       29.95
21        -30.559    4.00   1.84666    23.9       29.02
22        -52.028  (可変)                         28.73
23        -90.126    3.37   1.84666    23.9       26.89
24        -33.738    1.28   1.69680    55.5       26.58
25         92.766  (可変)                         25.21
26        -66.502    1.92   1.84666    23.9       24.33
27        104.518  (可変)                         24.40
28*        99.527    0.13   1.51640    52.2       28.64
29        151.944    2.11   1.83400    37.2       28.68
30        184.624    5.22   1.49700    81.5       29.49
31        -46.309    0.24                         30.59
32       -313.991   13.04   1.49700    81.5       31.72
33        -20.454    2.72   1.74950    35.3       33.36
34        -32.978  (可変)                         36.93
像面        ∞   
非球面データ
第6面
K = 0  b= 8.46897e-006  c=-6.70833e-009  d= 1.22576e-012  e= 1.24898e-014  
第20面
K = 0  b=-2.37754e-006  c= 1.24167e-009  d=-4.87473e-012  e= 6.74756e-015  
第28面
K = 0  b=-8.22068e-006  c= 2.61379e-009  d= 1.12904e-011  e=-7.47106e-015  
各種データ
ズーム比      2.46 
広角     中間     望遠
焦点距離      28.00    54.05    68.78  
Fナンバー      2.88     2.88     2.88  
画角          37.69    21.81    17.46  
像高          21.64    21.64    21.64  
レンズ全長   180.38   194.32   212.91  
BF            39.96    68.47    68.90  
d 5            4.74    17.10    36.98  
d15           22.11     2.82     1.29  
d22            1.88     1.88     1.88  
d25            5.01     5.01     5.01  
d27           10.04     2.41     2.21  
d34           39.96    68.47    68.90  
入射瞳位置    38.33    53.74    96.74  
射出瞳位置  -161.37   -73.61   -72.39  
前側主点位置  62.43    87.22   132.04  
後側主点位置  11.96    14.42     0.12  
ズームレンズ群データ
群  始面    焦点距離  レンズ構成長  前側主点位置  後側主点位置
1    1     142.39        17.91         5.30         -5.38
2    6     -22.66        25.49         1.61        -17.57
3   16      28.50        23.22         7.50         -9.34
4   23     -79.72         4.65         0.89         -1.66
5   26     -47.76         1.92         0.40         -0.63
6   28      43.51        23.46         9.52         -7.09
【００５３】
【表１】
2012123156.tif 000003
【符号の説明】
【００５４】
Ｌ１    第１レンズ群
Ｌ２    第２レンズ群
Ｌ３    第３レンズ群
Ｌ４    第４レンズ群
Ｌ５    第５レンズ群
ＳＳＰ  フレアーカット絞り
ＳＰ    絞り
ＩＰ    像面
ｄ      ｄ線
ｇ      ｇ線
Ｓ・Ｃ  正弦条件
ΔｄＭ  ｄ線のメリディオナル像面
ΔｄＳ  ｄ線のサジタル像面
【図１】
2012123156.tif 000004
【図２】
2012123156.tif 000005
【図３】
2012123156.tif 000006
【図４】
2012123156.tif 000007
【図５】
2012123156.tif 000008
【図６】
2012123156.tif 000009
【図７】
2012123156.tif 000010
【図８】
2012123156.tif 000011
【図９】
2012123156.tif 000012